(57)【要約】      （修正有）【課題】過度な予冷を行わず、効率的な除湿を行うことが可能なデシカント空調機を提供する。【解決手段】処理側の空気の水分を吸着して除湿し、再生側を通過する空気に水分を放出するデシカントローターと、居室から送風される還気ＲＡを加熱し再生入口側の空気を生成する再生加熱部と、外気ＯＡを冷却し処理入口側の空気を生成する予冷部と、処理出口側の空気を再び冷却する再冷部と、再生入口側空気の温湿度を検出する再生入口温湿度検出部と、外気ＯＡの温湿度を検出する外気温湿度検出部と、処理入口側空気の温湿度を検出する処理入口温湿度検出部と、再生入口温湿度検出部が検出した再生入口側空気の温度および外気温湿度検出部が検出した外気温湿度から予冷部の温度を算出する予冷温度算出部と、予冷温度算出部が算出した予冷部の温度および処理入口温湿度検出部が検出した処理入口側の空気の温度から予冷部の温度を調節する予冷空気温度調節部とを備える【選択図】図１
2019074278.tif 000002
【特許請求の範囲】
【請求項１】
処理側を通過する空気の水分を吸着して除湿し、再生側を通過する空気に水分を放出するデシカントローターと、
居室から送風される還気を加熱し前記デシカントローターの再生入口側の空気を生成する再生加熱部と、
外気を冷却し前記デシカントローターの処理入口側の空気を生成する予冷部と、
前記居室に送風される前に前記デシカントローターを通過した処理出口側の空気を再び冷却する再冷部と、
前記再生入口側の空気の温湿度を検出する再生入口温湿度検出部と、
外気の温湿度を検出する外気温湿度検出部と、
前記処理入口側の空気の温湿度を検出する処理入口温湿度検出部と、
前記再生入口温湿度検出部が検出した前記再生入口側の空気の温度および前記外気温湿度検出部が検出した外気の温湿度から前記予冷部の温度を算出する予冷温度算出部と、
前記予冷温度算出部が算出した前記予冷部の温度および前記処理入口温湿度検出部が検出した前記処理入口側の空気の温度から前記予冷部の温度を調節する予冷空気温度調節部と、
を備える
ことを特徴とするデシカント空調機。
【請求項２】
前記予冷温度算出部は、
前記再生入口側の空気の温湿度を設定し、
外気の温湿度から前記処理入口側の空気の温湿度の条件を設定し、
前記再生入口側の空気の温湿度、前記処理入口側の空気の温湿度および前記デシカントローターのモデルから前記処理出口側の空気の温湿度を算出し、
前記処理出口側の空気の湿度が目標湿度より大きい場合、前記処理入口側の空気の温湿度の条件を所定の温度下げて再び設定し、
前記処理出口側の湿度が目標湿度以下の場合、少なくとも前記予冷部の温度を算出する
ことを特徴とする請求項１に記載のデシカント空調機。
【請求項３】
前記予冷温度算出部は、
算出した前記予冷部の温度が外気露点温度以下か否かを判定し、
算出した前記予冷部の温度が外気露点温度以下の場合、前記予冷部は予冷温度の範囲を指定しない
ことを特徴とする請求項２に記載のデシカント空調機。
【請求項４】
前記予冷温度算出部は、
算出した前記予冷部の温度が外気露点温度以下か否かを判定し、
算出した前記予冷部の温度が外気露点温度より高い場合、前記予冷部が露点温度以上の非除湿制御を行うように、予冷温度範囲を前記予冷空気温度調節器へ出力する
ことを特徴とする請求項２又は３に記載のデシカント空調機。
【発明の詳細な説明】
【技術分野】
【０００１】
本発明は、水分を吸収する材料を用いて通過する空気を除湿するデシカント空調機に関する。
【背景技術】
【０００２】
従来、空調機として、水分を吸収する性質を持つデシカント材を用いて除湿し、吸収した水分をデシカント材から除去し、デシカント材を再生して、再び除湿に使用するデシカント空調機が開示されている（特許文献１）。デシカント材の再生には、温熱が必要であり、この温熱に熱源の排熱を利用することで省エネルギーを図ることが可能とされている。
【先行技術文献】
【特許文献】
【０００３】
【特許文献１】特開２０１２−１１７６８３号公報
【特許文献２】特開２０１３−０９４７５０号公報
【非特許文献】
【０００４】
【非特許文献１】宇田川光弘著、「パソコンによる空気調和計算法」、オーム社、1986年12月
【非特許文献２】"Energy Plus Documentation, Engineering Reference"U.S Department of Energy, September 26,2017,(URL=https://energyplus.net/sites/all/modules/custom/nrel_custom/pdfs/pdfs_v8.8.0/EngineeringReference.pdf)
【発明の概要】
【発明が解決しようとする課題】
【０００５】
図１０は従来の一般的なデシカント空調機を示す。図１１は従来の一般的なデシカント空調機における予冷温度が24度の場合と16度の場合の負荷の比較を示す。図１２は従来の一般的なデシカント空調機における予冷温度が24度の場合と16度の場合の空気線図を示す。
【０００６】
図１０に示す従来の一般的なデシカント空調機１００は、まず、（１）居室から送風された還気ＲＡをデシカント空調機１００に取り入れ、デシカントローター１０１を通過させる前に、再生コイル１０２で加熱する。（２）再生コイル１０２で加熱された空気をデシカントローター１０１に通過させ、潜熱を除去し、排気ＥＡとして排気ファン１０５によって送風する。
【０００７】
また、（３）外気ＯＡをデシカント空調機１００に取り入れ、吸気ファン１０６で送風し、予冷コイル１０３で冷却する。（４）予冷コイル１０３で冷却された空気をデシカントローター１０１で除湿する。（５）デシカントローター１０１で除湿された空気を再冷コイル１０４で冷却する。再冷コイル１０４で冷却された空気は、ファン等によって居室に給気ＳＡとして送風される。
【０００８】
図１２に示すように、従来のデシカント空調機１では、予冷コイル１０３の予冷温度を24℃（３）としても16℃（３’）としても、目標とする空気の状態（５）に制御することは可能である。
【０００９】
しかしながら、図１１に示すように、予冷温度が16℃の場合は24℃の場合よりも処理負荷が11%も上昇する。すなわち、再生、予冷、再冷という過程を経て外気を処理するため、制御が複雑となり、適正に制御しないと無駄なエネルギーを消費してしまう場合があった。
【００１０】
本発明は、過度な予冷を行わず、効率的な除湿を行うことが可能なデシカント空調機を提供することを目的とする。
【課題を解決するための手段】
【００１１】
本発明にかかるデシカント空調機は、
処理側を通過する空気の水分を吸着して除湿し、再生側を通過する空気に水分を放出するデシカントローターと、
居室から送風される還気を加熱し前記デシカントローターの再生入口側の空気を生成する再生加熱部と、
外気を冷却し前記デシカントローターの処理入口側の空気を生成する予冷部と、
前記居室に送風される前に前記デシカントローターを通過した処理出口側の空気を再び冷却する再冷部と、
前記再生入口側の空気の温湿度を検出する再生入口温湿度検出部と、
外気の温湿度を検出する外気温湿度検出部と、
前記処理入口側の空気の温湿度を検出する処理入口温湿度検出部と、
前記再生入口温湿度検出部が検出した前記再生入口側の空気の温度および前記外気温湿度検出部が検出した外気の温湿度から前記予冷部の温度を算出する予冷温度算出部と、
前記予冷温度算出部が算出した前記予冷部の温度および前記処理入口温湿度検出部が検出した前記処理入口側の空気の温度から前記予冷部の温度を調節する予冷空気温度調節部と、
を備える
ことを特徴とする。
【００１２】
本発明にかかるデシカント空調機では、
前記予冷温度算出部は、
前記再生入口側の空気の温湿度を設定し、
外気の温湿度から前記処理入口側の空気の温湿度の条件を設定し、
前記再生入口側の空気の温湿度、前記処理入口側の空気の温湿度および前記デシカントローターのモデルから前記処理出口側の空気の温湿度を算出し、
前記処理出口側の空気の湿度が目標湿度より大きい場合、前記処理入口側の空気の温湿度の条件を所定の温度下げて再び設定し、
前記処理出口側の湿度が目標湿度以下の場合、少なくとも前記予冷部の温度を算出する
ことを特徴とする。
【００１３】
本発明にかかるデシカント空調機では、
前記予冷温度算出部は、
算出した前記予冷部の温度が外気露点温度以下か否かを判定し、
算出した前記予冷部の温度が外気露点温度以下の場合、前記予冷部は予冷温度の範囲を指定しない
ことを特徴とする。
【００１４】
本発明にかかるデシカント空調機では、
前記予冷温度算出部は、
算出した前記予冷部の温度が外気露点温度以下か否かを判定し、
算出した前記予冷部の温度が外気露点温度より高い場合、前記予冷部が露点温度以上の非除湿制御を行うように、予冷温度範囲を前記予冷空気温度調節器へ出力する
ことを特徴とする。
【発明の効果】
【００１５】
本発明にかかるデシカント空調機によれば、過度な予冷を行わず、効率的な除湿を行うことが可能となる。
【図面の簡単な説明】
【００１６】
【図１】本実施形態のデシカント空調機を示す。
【図２】本実施形態のデシカント空調機に用いられるデシカントローターの断面を示す。
【図３】第１実施形態のデシカント空調機の制御フローチャートを示す。
【図４】第１実施形態の除湿可能条件計算のフローチャートを示す。
【図５】第１実施形態のデシカント空調機の空気線図を示す。
【図６】第１実施形態のデシカント空調機における処理入口側空気条件を示す。
【図７】第１実施形態のデシカントローターのモデル式での変数を示す。
【図８】第１実施形態のデシカントローターの空気線図を示す。
【図９】第２実施形態のデシカント空調機の制御フローチャートを示す。
【図１０】従来の一般的なデシカント空調機を示す。
【図１１】従来の一般的なデシカント空調機における予冷温度が24度の場合と16度の場合の負荷の比較を示す。
【図１２】従来の一般的なデシカント空調機における予冷温度が24度の場合と16度の場合の空気線図を示す。
【発明を実施するための形態】
【００１７】
以下、図面を参照して本発明にかかる一実施形態のデシカント空調機１０を説明する。
【００１８】
図１は、本実施形態のデシカント空調機１０を示す。
【００１９】
本実施形態のデシカント空調機１０は、処理側を通過する空気の水分を吸着して除湿し、再生側を通過する空気に水分を放出するデシカントローター１１と、居室から送風される還気ＲＡを加熱しデシカントローター１１の再生入口側の空気を生成する再生加熱部１２と、外気ＯＡを冷却しデシカントローター１１の処理入口側の空気を生成する予冷部１３と、居室に送風される前にデシカントローター１１を通過した処理出口側の空気を再び冷却する再冷部１４と、を少なくとも備える。また、デシカントローター１１を通った還気ＲＡを排気する際に使用可能な排気ファン１５と、外気ＯＡを吸気する際に使用可能な吸気ファン１６と、を備えてもよい。
【００２０】
また、本実施形態のデシカント空調機１０は、再生加熱部１２を通過しデシカントローター１１で再生される前の再生入口側の空気の温湿度を検出する再生入口温湿度検出部２１と、外気ＯＡの温湿度を検出する外気温湿度検出部２２と、予冷部１３を通過しデシカントローター１１で処理される前の処理入口側の空気の温湿度を検出する処理入口温湿度検出部２３と、再冷部１４を通過する前の処理出口側の空気の温湿度を検出する処理出口温湿度検出部２４と、再冷部１４を通過した後の給気ＳＡの温湿度を検出する再冷後温湿度検出部２５と、を備える。
【００２１】
さらに、本実施形態のデシカント空調機１０は、再生入口温湿度検出部２１が検出した再生入口側の空気の温度および外気温湿度検出部２２が検出した外気ＯＡの温湿度から予冷部１３の温度を算出する予冷温度算出部３１と、再生入口温湿度検出部２１が検出した再生入口側の空気の温度および再冷後温湿度検出部２５が検出した給気ＳＡの湿度から再生加熱部１２および予冷部１３の温度を調節する給気絶対湿度調節部３２と、予冷温度算出部３１が算出した予冷部１３の温度および処理入口温湿度検出部２３が検出した予冷後の処理入口側の空気の温度から予冷部１３の温度を調節する予冷空気温度調節部３３と、再冷後温湿度検出部２５が検出した再冷後の外気ＯＡの温度から再冷部１４の温度を調節する給気温度調節部３４と、を備える。
【００２２】
図２は、本実施形態のデシカント空調機１０に用いられるデシカントローター１１の断面を示す。
【００２３】
本実施形態のデシカントローター１１は、本体１１ａと、本体１１ａを回転支持する回転軸１１ｂと、を備え、本体１１ａは、回転軸１１ｂに平行な筒状のセル１１ｃと、セル１１ｃに充填された吸着粉体１１ｄと、セル１１ｃの両端に設けられて、空気を通し、吸着粉体１１ｄを通さない通気部材１１ｅと、を有する。
【００２４】
デシカントローター１１は、円柱状の本体１１ａが回転軸１１ｂを中心として回転するように形成されている。円柱状の本体１１ａには、ハニカム状の多数のセル１１ｃが形成されている。なお、セル１１ｃの形状は、ハニカム状に限らず、コルゲート状の構造体でもよい。また、図２に示すデシカントローター１１は、単なる一例であって、通常用いられている一般的なデシカントローターはもちろん、どのような構成であってもよい。
【００２５】
セル１１ｃは、円柱状の本体１１ａを回転軸１１ｂ方向へ空気が通過するように、回転軸１１ｂに平行な流路を形成している。セル１１ｃの両端は、通気性のある紙、膜、不織布等からなる通気部材１１ｅが設けられて、蓋をされた状態となっている。そして、セル１１ｃの内側には、水蒸気が吸着する吸着剤を粉状にした吸着粉体１１ｄが充填されている。すなわち、通気部材１１ｅは、空気を通すが、吸着粉体１１ｄを通さない部材である。したがって、吸着粉体１１ｄは、通気部材１１ｅによって蓋をされてセル１１ｃから漏れないようになっている。
【００２６】
本実施形態の再生加熱部１２は、管内を流れる高温の媒体または水によって管の外側の空気を加熱する加熱コイルでよい。また、予冷部１３および再冷部１４は、管内を流れる低温の媒体または水によって管の外側の空気を冷却する冷却コイルでよい。
【００２７】
還気ＲＡは、再生加熱部１２を通過し加熱され再生入口側の空気となる。再生加熱部１２で加熱された再生入口側の空気は、デシカントローター１１を通過し、再生出口側の空気となる。デシカントローター１１を通過する際、加熱された再生入口側の空気は、吸着粉体１１ｄに吸着された水分子が放出され、高湿な再生出口側の空気となって排気ＥＡとして送風される。
【００２８】
吸入された外気ＯＡは、予冷部１３を通過し冷却される。予冷部１３で冷却された処理入口側の空気は、デシカントローター１１を通過し、処理出口側の空気となる。デシカントローター１１を通過する際、冷却された処理入口側の空気は、吸着粉体１１ｄに液体分子を吸着され、除湿された処理出口側の空気となる。デシカントローター１１を通過し、除湿された処理出口側の空気は、再冷部１４を通過して冷却され、給気ＳＡとして室内に送風される。
【００２９】
図３は、第１実施形態のデシカント空調機１０の制御フローチャートを示す。図４は、第１実施形態の除湿可能条件計算のフローチャートを示す。図５は、第１実施形態のデシカント空調機１０の空気線図を示す。図５中の（１）〜（５）は、図１中の（１）〜（５）に対応する。
【００３０】
第１実施形態のデシカント空調機１０は、除湿可能条件を計算し、過度な予冷を行わず、効率的な除湿を行うことを可能とする。一例として、第１実施形態のデシカント空調機１０の制御は、外気の状態はあまり除湿を必要としていないが、室内の除湿が必要な場合に効果的である。
【００３１】
第１実施形態のデシカント空調機１０は、まず、ステップ１で、予冷温度算出部３１が除湿可能条件を計算する（ＳＴ１）。除湿可能条件の計算は、図４に示すサブルーチンで行う。
【００３２】
まず、ステップ１１で、予冷温度算出部３１が再生入口側空気条件を設定する（ＳＴ１１）。再生入口側空気条件は、図１の（１）に示す位置に対応する再生加熱部１２を通過した再生入口側の空気の温湿度の条件である。再生入口側空気条件は、予め設定された設計時の温湿度でよい。本実施形態では、図５に示すように、再生入口側空気条件を57.5℃、8.5%とする。
【００３３】
続いて、ステップ１２で、予冷温度算出部３１が外気ＯＡの温湿度から処理入口側空気条件を設定する（ＳＴ１２）。処理入口側空気条件は、図１の（３）に示す位置に対応する予冷部１３を通過した処理入口側の空気の温湿度の条件である。
【００３４】
図６は、第１実施形態のデシカント空調機１０における処理入口側空気条件を示す。
【００３５】
処理入口側空気条件は、外気ＯＡの状態が図６に示す領域abcd内にあるか否かに応じて、以下のように求める。求められた処理入口側空気条件は、図５の（３）に示すように、所定の範囲を有する。処理入口側空気温度TPinの初期条件は、Ａ，Ｂ，Ｃの範囲内のうち最大値を用いればよい。
Ａ．Xpci＞0.016のとき
TPin＝16〜23[℃]
XPin＝XTH(TPin,95)
Ｂ．0.01≦Xpci≦0.016且つ領域abcd内のとき
TPin＝16[℃]〜Tpci
XPin＝ XTH(TPin,95), TPin＝16〜DEW(Xpci)
XPin, TPin＝DEW(Xpci)〜Tpci
Ｃ．0.01≦Xpci≦0.016且つ領域abcd外のとき
TPin＝16〜30[℃]
XPin＝ XTH(TPin,95), TPin＝16〜DEW(Xpci)
XPin, TPin＝DEW(Xpci)〜30[℃]
ここで、
TPinは処理入口側空気温度、
XPinは処理入口側空気湿度、
である。
また、絶対湿度xは、温度tと相対湿度hから以下のように求める（非特許文献１参照）。
X＝XTH(t,h)
0≦t＜200
tabs＝t＋273.15
PWS＝(Exp(-5800.2206/tabs＋1.3914993−0.048640239×tabs
＋0.000041764768×tabs2−0.000000014452093×tabs3
＋6.5459673×Log(tabs)))/1000
t＜0
tabs＝t＋273.15
PWS＝(Exp(-5674.5359/tabs＋6.3925247−0.009677843×tabs
＋0.00000062215701×tabs2−0.000000020747825×tabs3
−9.484024E-13×tabs4＋4.1635019×Log(tabs)))/1000
PW＝PWS×h/100
P＝101.325(大気圧)
XTH＝0.62198×PW/(P−PW)
さらに、露点温度Dewは絶対湿度xから以下のように求める。
P＝101.325(大気圧)
PW＝x×P/(0.62198＋x)
y＝Log(1000×PW)
Y2＝Log(PW×1000/611.213)
Y2≧0のとき
Dewx＝13.715×Y2＋0.84262×Y22＋0.019048×Y23＋0.0078158×Y24
Y2＜0のとき
Dewx＝13.7204×Y2＋0.736631×Y22＋0.0332136×Y23＋0.000778591×Y24
【００３６】
次に、ステップ１３で、予冷温度算出部３１が再生入口側の空気の温湿度、前記処理入口側の空気の温湿度および前記デシカントローター１１のモデルから処理出口側の空気の温湿度を算出する（ＳＴ１３）。
【００３７】
図７は、第１実施形態のデシカントローター１１のモデル式での変数を示す。
【００３８】
図７中、ＴRinとＸRinはデシカントローター１１を通過する前の再生入口側の空気の温湿度であって、図１の（１）に示す位置の空気の温湿度に対応する。ＴdroとＸdroはデシカントローター１１を通過後の再生出口側の空気の温湿度であって、図１の（２）に示す位置の空気の温湿度に対応する。ＴPinとＸPinはデシカントローター１１を通過する前の処理入口側の空気の温湿度であって、図１の（３）に示す位置の空気の温湿度に対応する。ＴdpoとＸdpoはデシカントローター１１を通過後の処理出口側の空気の温湿度であって、図１の（４）に示す位置の空気の温湿度に対応する。
【００３９】
第１実施形態のデシカントローター１１の再生側の出口条件のモデル式は、以下の式（１）および式（２）とする（非特許文献２参照）。
【数１】
2019074278.tif 000003
ここで、
B1〜B7およびC1〜C7  は予め定めたデシカントローター特有の係数、
TPinは処理入口側空気温度、
XPinは処理入口側空気絶対湿度、
TRinは再生入口側空気温度、
XRinは再生入口側空気絶対湿度、
Tdroは再生出口側空気温度、
Xdroは再生出口側空気絶対湿度、
である。
【００４０】
また、第１実施形態のデシカントローター１１の処理側の出口条件のモデル式は、以下の式（３）および式（４）とする（非特許文献１参照）。
【数２】
2019074278.tif 000004
ここで、
caは乾き空気の定圧比熱[kJ/(kg・℃)]、
cvは水蒸気の定圧比熱[kJ/(kg・℃)]、
r0は蒸気潜熱[kJ/kg]、
TPinは処理入口側空気温度、
XPinは処理入口側空気湿度、
TRinは再生入口側空気温度、
XRinは再生入口側空気湿度、
Tdpoは処理出口側空気温度、
Xdpoは処理出口側空気湿度、
hdpoはエンタルピ、
である。
XdpoとTdpoは、式（３）と式（４）を連立させて求めればよい。
【００４１】
図８は、第１実施形態のデシカントローター１１の空気線図を示す。
【００４２】
第１本実施形態のデシカントローター１１の出口側の空気の温湿度は、まずデシカントローター１１のモデル式（１）および式（２）より再生出口側の空気の状態を算出する。そして、再生出口側と再生入口側のエンタルピー差に風量比を掛けて、処理側エンタルピー差を算出する。
【００４３】
次に、図８に示すように、図１の（１）に示す位置の再生入口側と図１の（２）に示す位置の再生出口側との変化を示すデシカント再生側傾きと、図１の（３）に示す位置の処理入口側と図１の（４）に示す位置の処理出口側との変化を示すデシカント処理側傾きとが、等しくなるようにする。最後に、図８上で等エンタルピー線と処理側傾きとの交点を求め、処理出口側の状態を求める。
【００４４】
次に、ステップ１４で、処理出口側空気湿度Xdpoが目標湿度以下であるか否かを、予冷温度算出部３１が判定する（ＳＴ１４）。処理出口側空気湿度Xdpoが目標湿度より大きい場合、ステップ１５で、予冷温度算出部３１が処理入口側空気温度TPinの条件を所定の温度下げて、ステップ１２に戻る（ＳＴ１５）。ステップ１５は、図５の（３）の点で示される工程である。最初のステップ１２において右の点に設定され、その後ステップ１２に戻る際に左隣の点に設定される。処理入口側空気温度TPinを下げる所定の温度は、1℃又は0.01℃等に設定すればよい。
【００４５】
処理出口側空気湿度Xdpoが目標湿度以下の場合、ステップ１６で、予冷温度算出部３１が各条件を算出する（ＳＴ１６）。各条件には、少なくとも予冷部１３の温度を含む。その他、加熱部１２、再冷部１４の温度をそれぞれ設定してもよい。
【００４６】
これで、ステップ１のサブルーチンを終了し、続いて、ステップ２で、計算した予冷温度を予冷空気温度調節器へ出力する（ＳＴ２）。
【００４７】
このように、第１実施形態のデシカント空調機１０は、除湿可能条件を計算し、過度な予冷を行わず、効率的な除湿を行うことを可能とする。
【００４８】
図９は、第２実施形態のデシカント空調機１０の制御フローチャートを示す。
【００４９】
第２実施形態のデシカント空調機１０の制御は、モデル式の精度が比較的良くないと思われる場合に用いるとより効果的である。第２実施形態のデシカント空調機１０の制御のステップ２１のサブルーチンは、第１実施形態のデシカント空調機１０の制御と同様なので、説明を省略する。
【００５０】
第２実施形態のデシカント空調機１０の制御は、ステップ２１のサブルーチンを終了し、続いて、ステップ２２で、予冷温度算出部３１がステップ２１において設定した予冷部１３の予冷温度が外気露点温度以下か否かを判定する（ＳＴ２２）。外気露点温度は、前述したように、外気温湿度検出部２２が検出した外気ＯＡの絶対湿度から求める。
【００５１】
ステップ２２において、設定した予冷部１３の予冷温度が外気露点温度以下の場合、ステップ２３で、予冷部１３が予冷温度の範囲を指定せず（ＳＴ２３）、制御を終了する。
【００５２】
ステップ２２において、設定した予冷部１３の予冷温度が外気露点温度より高い場合、ステップ２４で、予冷部１３が露点温度以上の非除湿制御を行うように、予冷温度算出部３１が予冷温度範囲を予冷空気温度調節器３３へ出力する。ここで、予冷温度範囲は、予冷温度≧計算予冷温度or露点温度を満足する（ＳＴ２４）。
【００５３】
このように、第２実施形態のデシカント空調機１０は、除湿可能条件を計算し、22℃〜27℃程度の予冷で済み、過度な予冷を行わず、効率的な除湿を行うことを可能とする。
【００５４】
以上、本実施形態のデシカント空調機１０は、処理側を通過する空気の水分を吸着して除湿し、再生側を通過する空気に水分を放出するデシカントローター１１と、居室から送風される還気ＲＡを加熱しデシカントローター１１の再生入口側の空気を生成する再生加熱部１２と、外気ＯＡを冷却しデシカントローター１１の処理入口側の空気を生成する予冷部１３と、居室に送風される前にデシカントローター１１を通過した処理出口側の空気を再び冷却する再冷部１４と、再生入口側の空気の温湿度を検出する再生入口温湿度検出部２１と、外気ＯＡの温湿度を検出する外気温湿度検出部２２と、処理入口側の空気の温湿度を検出する処理入口温湿度検出部２３と、再生入口温湿度検出部２１が検出した再生入口側の空気の温度および外気温湿度検出部２２が検出した外気の温湿度から予冷部１３の温度を算出する予冷温度算出部３１と、予冷温度算出部３１が算出した予冷部１３の温度および処理入口温湿度検出部２３が検出した処理入口側の空気の温度から予冷部１３の温度を調節する予冷空気温度調節部３３と、を備える。したがって、過度な予冷を行わず、効率的な除湿を行うことが可能となる。
【００５５】
また、本実施形態のデシカント空調機１０は、予冷温度算出部３１は、再生入口側の空気の温湿度を設定し、外気ＯＡの温湿度から処理入口側の空気の温湿度の条件を設定し、再生入口側の空気の温湿度、処理入口側の空気の温湿度およびデシカントローター１１のモデルから処理出口側の空気の温湿度を算出し、処理出口側の空気の湿度が目標湿度より大きい場合、処理入口側の空気の温湿度の条件を所定の温度下げて再び設定し、処理出口側の湿度が目標湿度以下の場合、少なくとも予冷部１３の温度を算出する。したがって、より効率的な除湿を行うことが可能となる。
【００５６】
また、本実施形態のデシカント空調機１０は、予冷温度算出部３１は、算出した予冷部１３の温度が外気露点温度以下か否かを判定し、算出した予冷部１３の温度が外気露点温度以下の場合、予冷部１３は予冷温度の範囲を指定しない。したがって、過度な予冷を行わず、効率的な除湿を行うことが可能となる。
【００５７】
また、本実施形態のデシカント空調機１０は、予冷温度算出部３１は、算出した予冷部１３の温度が外気露点温度以下か否かを判定し、算出した予冷部１３の温度が外気露点温度より高い場合、予冷部１３が露点温度以上の非除湿制御を行うように、予冷温度範囲を予冷空気温度調節器３３へ出力する。したがって、より効率的な除湿を行うことが可能となる。
【００５８】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【００５９】
１…デシカント空調機
１１…デシカントローター
１２…加熱部
１３…予冷部
１４…再冷部
３１…予冷温度算出部
３３…予冷空気温度調節器
【図１】
2019074278.tif 000005
【図２】
2019074278.tif 000006
【図３】
2019074278.tif 000007
【図４】
2019074278.tif 000008
【図５】
2019074278.tif 000009
【図６】
2019074278.tif 000010
【図７】
2019074278.tif 000011
【図８】
2019074278.tif 000012
【図９】
2019074278.tif 000013
【図１０】
2019074278.tif 000014
【図１１】
2019074278.tif 000015
【図１２】
2019074278.tif 000016